(57)【特許請求の範囲】
【請求項１】
枠体に左右に並べられて載置されるボトル容器を仕切る仕切り材であって、この仕切り材を挟んで隣り合うボトル容器間に空隙を形成し、かつ枠体の前枠に、積み重ねて載置される複数のボトル容器の底面を当接させるべく構成し、仕切り材の一部を、ボトル容器の出し入れ方向に対し入り側に後退させ、仕切り材を枠体の前後両端間を接続する棒材により構成し、棒材の一側を凸状に折曲して形成された仕切り部と、他側を凸状折曲部に連続し凸状折曲部頂部から後退した後退部とを有して構成され、仕切り部をボトル容器の外面を規制して積み重ね可能にボトル容器を仕切るようにしたことを特徴とする仕切り材。
【請求項２】
仕切り材を、枠体の前後両端間に配置される支持部と、前後方向長さが枠体の前後方向長さ寸法より短寸に形成されてこの支持部に両端が接続され凸状に突出する仕切り部とを有して構成されることを特徴とする請求項１に記載の仕切り材。
【請求項３】
枠体の前後両側にはそれぞれ並び方向に延びる支持材が設けられ、仕切り材の両端にはそれぞれ、前後の各支持材に着脱自在に取り付けられる着脱部を設けたことを特徴とする請求項１または２に記載の仕切り材。
【請求項４】
仕切り材の並び方向幅寸法を、手または指を差し入れ可能な幅寸法に設定したことを特徴とする請求項１ないし３のうちいずれか１に記載の仕切り材。
【請求項５】
ボトル容器が仕切り部を介して左右に並べられて載置される枠体であって、この仕切り部を挟んで隣り合うボトル容器間に空隙を形成し、かつ枠体の前枠に、積み重ねて載置される複数のボトル容器の底面を当接させるべく構成し、枠体の前後側両枠間に、ボトル容器の左右方向幅寸法に対応させて仕切り枠を設け、この仕切り枠に仕切り部を形成し、仕切り部の並び方向幅寸法を、手または指を差し入れ可能な幅寸法に設定するとともに、仕切り部をボトル容器の外面を規制して積み重ね可能にボトル容器を仕切るようにしたことを特徴とする枠体。
【請求項６】
枠体の前後側各枠のうち少なくともいずれか一方に、予め設置された棚の傾斜した棚板に取り外し自在に掛止される掛止部を設けたことを特徴とする請求項５に記載の枠体。
【請求項７】
枠体には、掛止部が設けられた前後一方の枠の他方の枠にボトル容器底部が当接する当接部を設けたことを特徴とする請求項６に記載の枠体。
【請求項８】
傾斜した棚板を備え、この棚板に請求項５ないし７のうちいずれか１に記載の枠体が取り外し自在に取り付けられることを特徴とする棚。
【発明の詳細な説明】
【技術分野】
【０００１】
本発明は、ワインボトル等のボトル容器類を傾斜または横倒しに配置して陳列する仕切り材と枠体ならびに枠体が取り付けられた棚に関する。
【背景技術】
【０００２】
一般に、店頭などのワインラックのような陳列棚には、瓶類を傾斜または横倒しにて同じ種類の瓶を積み重ねて揃え、左右方向に異なる種類の瓶が並べられるようになっている。これら積み重ねた同一種類の瓶を、種類の異なる瓶と仕切るため、上方が開放された陳列棚には、仕切り板が左右方向に移動可能に設けられる。仕切り板は、横長矩形状に形成され、箱状の陳列棚の左右方向長さに応じて複数枚配置される（特許文献１参照）。
【先行技術文献】
【特許文献】
【０００３】
【特許文献１】特開２００５−３４３２９号公報
【発明の概要】
【発明が解決しようとする課題】
【０００４】
しかしながら、上記特許文献１に記載の従来の仕切り材では、仕切り板が箱状の陳列棚の上端とほぼ同じ高さで横長矩形状に形成されているため、傾斜または横倒しされて上下に一列で積み重ねられた瓶の両側に、仕切り板が配置されたり、左右方向に複数列並んだ瓶を挟んで両側に仕切り板が配置され瓶が同一高さに並んでいる場合など、瓶と仕切り板の間に隙間がないので、上方の出し入れ方向から瓶を取り出しにくいという問題がある。
【０００５】
本発明は、上記課題を解決するためになされたもので、簡素な構成で、陳列棚から瓶などの商品を容易に取り出すことができる仕切り材と枠体ならびに枠体が取り付けられた棚を提供することを目的とする。
【課題を解決するための手段】
【０００６】
本発明の請求項１に係る仕切り材は、枠体に左右に並べられて載置されるボトル容器を仕切る仕切り材であって、この仕切り材を挟んで隣り合うボトル容器間に空隙を形成し、かつ枠体の前枠に、積み重ねて載置される複数のボトル容器の底面を当接させるべく構成し、仕切り材の一部を、ボトル容器の出し入れ方向に対し入り側に後退させ、仕切り材を枠体の前後両端間を接続する棒材により構成し、棒材の一側を凸状に折曲して形成された仕切り部と、他側を凸状折曲部に連続し凸状折曲部頂部から後退した後退部とを有して構成され、仕切り部をボトル容器の外面を規制して積み重ね可能にボトル容器を仕切るようにしたことを特徴としている。
【０００７】
本発明の請求項１に係る仕切り材では、枠体に左右に並べられて載置されるボトル容器を仕切る仕切り材であって、この仕切り材を挟んで隣り合うボトル容器間に空隙を形成し、かつ枠体の前枠に、積み重ねて載置される複数のボトル容器の底面を当接させるべく構成し、仕切り材の一部を、ボトル容器の出し入れ方向に対し入り側に後退させ、仕切り材を枠体の前後両端間を接続する棒材により構成し、棒材の一側を凸状に折曲して形成された仕切り部と、他側を凸状折曲部に連続し凸状折曲部頂部から後退した後退部とを有して構成され、仕切り部をボトル容器の外面を規制して積み重ね可能にボトル容器を仕切るようにしたことにより、枠体に載置された仕切り材で仕切られた隣り合うボトル容器間に空隙が形成される。この空隙から指または手を差し入れることができるので、ボトル容器が取り出しやすくなる。
【００１０】
本発明の請求項２に係る仕切り材は、仕切り材を、枠体の前後両端間に配置される支持部と、前後方向長さが枠体の前後方向長さ寸法より短寸に形成されてこの支持部に両端が接続され凸状に突出する仕切り部とを有して構成されることを特徴としている。
【００１１】
本発明の請求項３に係る仕切り材は、枠体の前後両側にはそれぞれ並び方向に延びる支持材が設けられ、仕切り材の両端にはそれぞれ、前後の各支持材に着脱自在に取り付けられる着脱部を設けたことを特徴としている。
【００１２】
本発明の請求項４に係る仕切り材は、仕切り材の並び方向幅寸法を、手または指を差し入れ可能な幅寸法に設定したことを特徴としている。
【００１３】
本発明の請求項５に係る枠体は、ボトル容器が仕切り部を介して左右に並べられて載置される枠体であって、この仕切り部を挟んで隣り合うボトル容器間に空隙を形成し、かつ枠体の前枠に、積み重ねて載置される複数のボトル容器の底面を当接させるべく構成し、枠体の前後側両枠間に、ボトル容器の左右方向幅寸法に対応させて仕切り枠を設け、この仕切り枠に仕切り部を形成し、仕切り部の並び方向幅寸法を、手または指を差し入れ可能な幅寸法に設定するとともに、仕切り部をボトル容器の外面を規制して積み重ね可能にボトル容器を仕切るようにしたことを特徴としている。
【００１４】
本発明の請求項５に係る枠体では、ボトル容器が仕切り部を介して左右に並べられて載置される枠体であって、この仕切り部を挟んで隣り合うボトル容器間に空隙を形成し、かつ枠体の前枠に、積み重ねて載置される複数のボトル容器の底面を当接させるべく構成し、枠体の前後側両枠間に、ボトル容器の左右方向幅寸法に対応させて仕切り枠を設け、この仕切り枠に仕切り部を形成し、仕切り部の並び方向幅寸法を、手または指を差し入れ可能な幅寸法に設定するとともに、仕切り部をボトル容器の外面を規制して積み重ね可能にボトル容器を仕切るようにしたことにより、枠体に載置され仕切り部で仕切られた隣り合うボトル容器間に空隙が形成される。この空隙から指または手を差し入れることができるので、ボトル容器が取り出しやすくなる。
【００１７】
本発明の請求項６に係る枠体は、枠体の前後側各枠のうち少なくともいずれか一方に、予め設置された棚の傾斜した棚板に取り外し自在に掛止される掛止部を設けたことを特徴としている。
【００１８】
本発明の請求項７に係る枠体は、枠体には、掛止部が設けられた前後一方の枠の他方の枠にボトル容器底部が当接する当接部を設けたことを特徴としている。
【００１９】
本発明の請求項８に係る棚は、傾斜した棚板を備え、この棚板に請求項５ないし７のうちいずれか１に記載の枠体が取り外し自在に取り付けられることを特徴としている。
【００２０】
本発明の請求項８に係る棚では、傾斜した棚板を備え、この棚板に請求項５ないし７のうちいずれか１に記載の枠体が取り外し自在に取り付けられるようにしたことにより、棚板の枠体に載置され仕切り部で仕切られた隣り合うボトル容器間に空隙が形成される。この空隙から指または手を差し入れることができるので、ボトル容器が取り出しやすくなる。
【発明の効果】
【００２１】
本発明の第１の発明に係る仕切り材は、枠体に左右に並べられて載置されるボトル容器を仕切る仕切り材であって、この仕切り材を挟んで隣り合うボトル容器間に空隙を形成し、かつ枠体の前枠に、積み重ねて載置される複数のボトル容器の底面を当接させるべく構成し、仕切り材の一部を、ボトル容器の出し入れ方向に対し入り側に後退させ、仕切り材を枠体の前後両端間を接続する棒材により構成し、棒材の一側を凸状に折曲して形成された仕切り部と、他側を凸状折曲部に連続し凸状折曲部頂部から後退した後退部とを有して構成され、仕切り部をボトル容器の外面を規制して積み重ね可能にボトル容器を仕切るようにしたので、隣り合うボトル容器間に空隙が形成され、枠体からボトル容器を容易に取り出すことができる。
【００２２】
本発明の第２の発明に係る枠体は、ボトル容器が仕切り部を介して左右に並べられて載置される枠体であって、この仕切り部を挟んで隣り合うボトル容器間に空隙を形成し、かつ枠体の前枠に、積み重ねて載置される複数のボトル容器の底面を当接させるべく構成し、枠体の前後側両枠間に、ボトル容器の左右方向幅寸法に対応させて仕切り枠を設け、この仕切り枠に仕切り部を形成し、仕切り部の並び方向幅寸法を、手または指を差し入れ可能な幅寸法に設定するとともに、仕切り部をボトル容器の外面を規制して積み重ね可能にボトル容器を仕切るようにしたので、隣り合うボトル容器間に空隙が形成され、枠体からボトル容器を容易に取り出すことができる。
【００２３】
本発明の第３の発明に係る棚は、傾斜した棚板を備え、この棚板に請求項５ないし７のうちいずれか１に記載の枠体が取り外し自在に取り付けられるようにしたので、隣り合うボトル容器間に空隙が形成され、枠体からボトル容器を容易に取り出すことができる。従って、枠体が高い位置の棚板に掛止されていても枠体からボトル容器を容易に取り出すことができる。
【図面の簡単な説明】
【００２４】
【図１】本発明の第１実施形態である仕切り材が取り付けられた枠体を示す斜視図である。
【図２】図１の仕切り材の斜視図である。
【図３】図１の仕切り材の正面図である。
【図４】図１の仕切り材の平面図である。
【図５】図１の仕切り材の側面図である。
【図６】図１の仕切り材が取り付けられた枠体の使用状態を示す説明図である。
【図７】（Ａ）ないし（Ｃ）はそれぞれ、枠体にボトル容器が横倒しされて積み重ねられる場合、傾斜して積み重ねられる場合および立てられて並べられる場合毎の仕切り材の変形例を示すもので、取り出し方向と仕切り材の後退部とを示す説明図である。
【図８】（Ａ）ないし（Ｄ）はそれぞれ、本実施形態の仕切り材が取り付けられた枠体にボトル容器を載せた状態を示す平面図、斜視図、正面図および側面図である。
【図９】本発明の第２実施形態である仕切り材を示す正面図である。
【図１０】本発明の第３実施形態である枠体を示す斜視図である。
【図１１】（Ａ）、（Ｂ）はそれぞれ、図１０の枠体を棚の棚板に掛止する際の説明図および掛止した際の側方からみた側面図である。
【図１２】本発明の第４の実施形態である棚を示す斜視図で、図１０の枠体が掛止された状態を示す。
【発明を実施するための形態】
【００２５】
簡素な構成で、枠体からボトル容器を簡単に取り出すという目的を、枠体に左右に並べられて載置されるボトル容器を仕切る仕切り材であって、この仕切り材を挟んで隣り合うボトル容器間に空隙を形成すべく、仕切り材の一部を、ボトル容器の出し入れ方向に対し入り側に後退させて形成したことにより実現した。
【００２６】
以下、本発明の実施の形態を、図面を参照して説明する。図１および図２はそれぞれ、本発明の第１実施形態である仕切り材が取り付けられた枠体を示す斜視図および仕切り材の斜視図である。
【００２７】
本発明の第１実施形態に係る仕切り材２は、ワインボトルなどのボトル容器が横倒しまたは傾斜して積み重ねられる枠体３に取り付けられる。枠体３は、図１に示すように、金属製冷蔵用ワインラックで、左右の枠４、５と、両端がこれら左右枠４、５にそれぞれ接続される前後枠（支持材）６、７と下枠（支持材）８とから構成される。これら各枠４〜８は、表面に塗装またはメッキが施された金属製丸棒材から構成される。左右枠４、５はそれぞれ、上側両角部が曲線に形成された矩形状外枠１０と、外枠１０の内側に外枠１０の上下枠部１０Ａ、１０Ｂと平行に設けられた横枠部１０Ｃ、１０Ｄとを有して構成される。
【００２８】
前枠６は、細長い四角形状枠体により構成され、上下の枠部６Ａ、６Ｂは、横枠部１０Ｃ、１０Ｄに対応して設けられ、左右枠４、５の下枠部１０Ｂより上方に配置されて前側縦枠部１０Ｅ、１０Ｅに接続される。前枠６には、ラベルプレート１１（図８（Ａ）〜（Ｄ）参照）の上端が係止される係止部１２（図８（Ａ）（Ｂ）（Ｄ）参照）と、係止部１２に係止されたラベルプレート１１を見やすい角度に保持する突出部１３とが設けられる。
【００２９】
下枠８は、両端が左右枠４、５の下枠部１０Ｂ、１０Ｂに前枠６より内側に後退した位置で接続される。この下枠８にボトル容器Ｂの本体底側周面が載り、前枠６にボトル容器Ｂの底面が当接するようになっている。
【００３０】
後枠７は、細長い四角形状枠体により構成され、上下の枠部７Ａ、７Ｂのうち上側の枠部７Ａは、下側横枠部１０Ｄより下方に配置され、下側の枠部７Ｂは下枠８と同じ上下位置で左右枠４、５の後側縦枠部１０Ｆ、１０Ｆに接続される。後枠７の上枠部７Ａにボトル容器Ｂのネック側が載るようになっている。ボトル容器Ｂは、図８の（Ｄ）に示すように、枠体３に傾斜して載るようになっている。すなわち、左右枠４、５と前後枠６、７と下枠８とにより枠体３にボトル容器Ｂが載置される載置部を構成するようになっている。
【００３１】
ところで、本実施形態に係る仕切り材２は、両端が枠体３の前枠６の下枠部６Ｂと後枠７の上枠部７Ａとに着脱自在に取り付けられ、ボトル容器Ｂの外面を規制してボトル容器を仕切るようになっている。仕切り材２は、図２ないし図５に示すように、金属製丸棒材からなり、仕切り部２１と後退部２２とを有して構成される。仕切り部２１は、後方側の一側を湾曲した凸状に折曲して形成される。後退部２２は、この仕切り部２１と連続し前方側の他側を直線状に延長して形成される。
【００３２】
仕切り材２の両端にはそれぞれ、合成樹脂製の着脱部２３、２４が設けられる。前側着脱部２３は、前枠６の下側枠部６Ｂに、後側着脱部２４は、後枠７の上枠部７Ａにそれぞれ着脱自在に装着される。着脱部２３、２４は、金属製丸棒に差し入れられる筒状部２５とこの筒状部２５に直角に接続された断面Ｃ字状の嵌合部２６とを備えて構成される。嵌合部２６は、丸棒状の下側枠部６Ｂ、７Ａに取り外し自在に嵌着される。このように、仕切り材２は、ボトル容器Ｂが載せられる位置に応じて、前側着脱部２３を前枠６の下側枠部６Ｂに、後側着脱部２４を後枠７の上枠部７Ａにそれぞれ装着すると、仕切り部２１が、ボトル容器Ｂの外面を規制し、後退部２２は、仕切り部２１の頂部から下方に後退している。このため、取り出し方向、つまり枠体３の上方から指または手を差し入れると、仕切り部２１から離れた前側では隣り合うボトル容器Ｂ間に空隙が形成されるので、その空隙から指または手を差し入れることができるようになっている。このため、ボトル容器Ｂを取り出しやすくなっている。仕切り材２は、着脱部２３、２４が着脱自在に装着されるので、図８の（Ａ）ないし（Ｃ）に示すように、ボトル容器Ｂのサイズに合わせて、所望の位置に取り付けることができるようになっている。なお、隣り合うボトル容器Ｂ間の空隙は、仕切り材２の左右方向の寸法（丸棒材の場合、丸棒材の直径の寸法）により決定されるので、この寸法Ｓ１（図５参照）を指（または手）を差し入れる空隙が確保される寸法とすることが好ましい。なお、仕切り材２は、ボトル容器Ｂとの間に僅かな空隙Ｃ１（図８の（Ａ）参照）を設けてもよいし、空隙を設けなくてもよく、ボトル容器Ｂの左右方向幅寸法に応じて適宜取り付け位置が決定される。このため、仕切り材２をボトル容器Ｂとの間に僅かな空隙Ｃ１を設けて取り付ける場合、指や手が差し入れやすくなるので、仕切り材２の左右方向寸法Ｓ１を上記寸法より短寸にしてもよい。
【００３３】
次に、本実施形態に係る仕切り材２の作用について説明する。本実施形態に係る仕切り材２は、前後の着脱部２３、２４をそれぞれ、隣り合うボトル容器Ｂ毎、種類の異なるボトル容器Ｂの径寸法に応じて、前枠６の下側枠部６Ｂと後枠７の上枠部７Ａに装着される。仕切り材２には、仕切り部２１と連続し載置部となる４〜８に載置されたボトル容器Ｂの出し入れ方向に後退して形成された後退部２２が形成されているので、これら複数の仕切り材２が装着された枠体３の仕切り材２間にボトル容器Ｂを並べ積み重ねて載置すると、隣り合うボトル容器Ｂ間に空隙が形成される。この空隙から指または手を差し入れることができるので、枠体３に載置されたボトル容器Ｂを取り出しやすい。
【００３４】
図７の（Ａ）ないし（Ｃ）はそれぞれ、上記実施の形態に係る仕切り材２の変形例を示すもので、図７の（Ａ）および（Ｂ）はそれぞれ、ボトル容器Ｂが枠体３に水平に横倒し状態で積み重ねられた場合と傾斜して積み重ねられた場合を示している。いずれも、上方から上下方向が取り出し方向になり、後退部は仕切り部より後退して形成される。図７の（Ｃ）は、ボトル容器Ｂが枠体３に立てられた状態で並べられた場合を示し、横方向が取り出し方向となり、後退部は取り出し方向に対し下方に後退して形成される。
【００３５】
図９は、本発明の第２実施形態に係る仕切り材３２を示す正面図で、第２実施形態に係る仕切り材３２は、上記第１実施形態に係る仕切り材２が、凸状に湾曲させて折り曲げた仕切り部２１とこの仕切り部２１から連続して延びる後退部２２とを１本の棒材から構成しているのに対し、枠体３の前後枠６、７間に配置される支持棒部（支持部）３３と、前後方向長さＬ２が枠体３の前後方向長さ寸法Ｌ１より短寸に形成されて（Ｌ２＜Ｌ１）この支持棒部３３に両端が接続された仕切り部３４とを有して構成される点が異なっている外はほぼ同一の構成を備えている。仕切り部３４は、開口側が拡開したＵ字状棒材からなり、開口端が支持棒部３３に接続されて上方に凸状に突出している。すなわち、第１実施形態に係る仕切り材２では、仕切り材２の一部を後退させて後退部２２を形成しているのに対し、この仕切り材３２では、仕切り部３４と前方側着脱部２３との間の支持棒部３３Ａが後退部としての機能を果たし、指（または手）を差し入れるのに十分な前後方向長さＬ３と、仕切り材３２の左右方向の幅寸法とを有して構成される。
【００３６】
なお、上記第１第２の実施形態では、仕切り材２、３２や枠体３を金属製丸棒材で構成しているがこれに限られるものではなく、断面多角形状のものであってもよいし、木材や合成樹脂製の部材から構成してよいことはいうまでもない。その場合には、仕切り材を木材の板や合成樹脂製のプレートで構成し、左右方向の所望の位置に着脱自在に装着し、取り出し方向に対して後退して形成された後退部や支持棒部を設けるようにすればよい。また、上記各実施形態では、仕切り部を凸状に折曲して形成しているがこれ限られるものではなく、隣接し積み重ねられたボトル容器間を仕切るとともに、これら隣接して積み重ねられたボトル容器間に指や手を差し入れ可能な空隙を確保する厚さや左右幅寸法を有するものであればよいことはいうまでもない。
【００３７】
次に、本発明の第３実施形態に係る枠体５３について説明する。図１０および図１１の（Ａ）、（Ｂ）はそれぞれ、第３実施形態に係る枠体５３を示す斜視図、棚の棚板に掛止する際の説明図および掛止した際の側方からみた側面図である。本実施形態に係る枠体５３は、金属製丸棒材からなり、矩形枠５４と、この矩形枠５４の前側枠部（前側枠）５５と後側枠部（後側枠）５６との間に左右側枠部５７、５８と平行にボトル容器の左右方向幅寸法に対応させて設けられた仕切り枠５９とを有して構成される。
【００３８】
前後側各枠部５５、５６のうち後側枠部５６には、掛止部６０が設けられる。掛止部６０は、予め設置された棚７０の傾斜した棚板７１に取り外し自在に掛止されるようになっており、掛止部６０が棚板７１の後側端縁７２に係止されると、枠体５３は、傾斜した棚板７１に脱落が阻止されて載置されるようになっている。前側枠部５５には、当接部６１がほぼ直角で立ち上がって設けられる。当接部６１は、枠体５３が後側が持ち上げられて傾斜した状態にあるとき、ボトル容器Ｂを横にして左右方向に並べると、自重によりボトル容器Ｂの底部が当接するようになっている。当接部６１の上部には、デザインされた意匠ボード６５が差し込まれる差し込み部６６が形成される。また、当接部６１の前方側には、商品名や値段の記載されたカードケース６７が掛止されるカードケース掛止部６８が設けられる。
【００３９】
ところで、本実施形態に係る枠体５３は、仕切り枠５９に仕切り部６２が形成される。仕切り部６２は、Ｕ字状金属製丸棒材の両開放端を仕切り枠５９に接続して構成され、前後方向寸法Ｌ３が枠体５３の仕切り枠５９の長さ寸法Ｌ４より短く（Ｌ３＜Ｌ４）、仕切り部６２と当接部６１との間に指（または手）を差し入れることのできる空隙を確保するようになっている。仕切り部６２の左右方向の寸法（丸棒材の場合、丸棒材の直径の寸法）は指（または手）を差し入れる空隙が確保される寸法とすることが好ましい。しかしながら、仕切り枠５９間の寸法を隣り合うボトル容器Ｂとの間に僅かな空隙を確保する寸法とすると、仕切り部６２の左右方向寸法を上記寸法より短寸にしてもよい。
【００４０】
次に、本実施形態に係る枠体５３の作用について説明する。本実施形態に係る枠体５３、矩形枠５４の内側に前後方向に沿って設けられた複数の仕切り枠５９に仕切り部６２が形成され、しかも、仕切り部６２の前後方向長さＬ３は、仕切り枠５９の前後方向長さＬ４より短寸となっているので、枠体５３の仕切り部６２間にボトル容器Ｂを載置し、さらに積み重ねて載置すると、仕切り部６２と当接部６１との間で隣り合うボトル容器Ｂ間に空隙が形成される。この空隙から指または手を差し入れることができるので、枠体５３に載置されたボトル容器Ｂを取り出しやすい。
【００４１】
次に、本発明の第４実施形態に係る棚７０について説明する。本実施形態に係る棚７０は、図１１の（Ａ）、（Ｂ）および図１２に示すように、前方側が下方に傾斜した棚板７１を備えた陳列棚であって、前記枠体５３の掛止部６０が、傾斜した棚板７１の後方側端縁７２に掛止されて枠体５３が棚板７１上面に載置されて構成される。この棚７０では、枠体５３が高い位置の棚板７１に掛止されていても枠体５３からボトル容器Ｂを容易に取り出すことができる。また、枠体５３を取り替え可能に載せ置くことができるので、傾斜した棚板７１を備えてさえいれば、枠体５３を取り替えるだけでサイズの異なる多種の商品を陳列することができる。
【００４２】
なお、本実施形態に係る棚７０では、枠体５３を掛止部６０により棚板７１に取り付けるようにしているがこれに限られるものではなく、ワンタッチで着脱できる構造や機構を備えていればよいことはいうまでもない。
【符号の説明】
【００４３】
２  仕切り材
３  枠体
４、５  左右枠（載置部）
６、７  前後枠（載置部）
８  下枠（載置部）
２１  仕切り部
２２  後退部
Ｂ  ボトル容器
【要約】      （修正有）【課題】枠体からボトル容器を容易に取り出すことができる仕切り材と枠体ならびに枠体が取り付けられた棚を提供する。【解決手段】仕切り材２は、ボトル容器が傾斜されて積み重ねられる載置部４〜８を有する枠体３に、左右方向の所望の位置に着脱自在に取り付けられる。仕切り材２は、金属製棒材からなり、仕切り部と後退部とを有している。仕切り部は、棒材の一側を凸状に折曲して形成され、ボトル容器の外面を規制して隣接するボトル容器を仕切るようになっている。後退部は、この折曲された仕切り部と連続して直線状に形成され、載置部４〜８に載置されたボトル容器の出し入れ方向に対して後退して形成される。後退部は、仕切り部により仕切られた隣接するボトル容器間に空隙を形成し、指または手を差し入れることができる。【選択図】図１【図１】
0006030188.tif 000002
【図２】
0006030188.tif 000003
【図３】
0006030188.tif 000004
【図４】
0006030188.tif 000005
【図５】
0006030188.tif 000006
【図６】
0006030188.tif 000007
【図７】
0006030188.tif 000008
【図８】
0006030188.tif 000009
【図９】
0006030188.tif 000010
【図１０】
0006030188.tif 000011
【図１１】
0006030188.tif 000012
【図１２】
0006030188.tif 000013